(57)【特許請求の範囲】
【請求項１】
キャビティ間ピッチを同一ピッチに揃えつつそれぞれ極数のみが異なり、端子金具を収容可能で横方向に並んで配される複数のキャビティを内部に備えたコネクタハウジングと、前記コネクタハウジングの極数に応じて組み付け可能で、かつ前記コネクタハウジングに収容される前記端子金具に接続された電線を屈曲状態に保持するカバーとが設けられ、前記カバーの横方向両側部には、一対の撓み係合片が配される一方、前記両コネクタハウジングの幅方向両側面には、一対の係合突起が配され、前記コネクタハウジングと前記カバーとの極数が同一であるときには、対をなす前記撓み係合片と前記係合突起との係合が共に行われて、前記コネクタハウジングと前記カバーとを抜止め保持可能とし、前記コネクタハウジングの極数が前記カバーの極数よりも小さい誤組であって、前記コネクタハウジングが前記カバーの横方向両側のうちいずれか一方に寄せられて、前記撓み係合片と前記係合突起との係合が片側のみで行われる誤組を防止する誤組防止構造であって、
前記コネクタハウジングの横方向両側部には、前記各キャビティの並び方向に沿って外方へ張り出す係止部が設けられ、前記カバーの横方向両側面には、前記両係止部を受入可能で、かつ前記カバーを前記コネクタハウジングに組み付けるときの案内を行う受入部が凹設され、前記カバーの内面には、前記各キャビティ間の区画壁の位置に合わせて配置された突部が、少なくとも前記受入部の高さまで延び、かつ前記組み付け方向に沿って形成され、前記コネクタハウジングと前記カバーとの極数が同一であるときには、前記係止部と前記突部とが干渉することなく組み付けられる一方、前記コネクタハウジングの極数が前記カバーの極数よりも小さい誤組であるときには、前記係止部と前記突部とが干渉して前記コネクタハウジングと前記カバーとの不正な嵌合を防止することを特徴とするコネクタハウジングとカバーとの誤組防止構造。
【請求項２】
前記突部は、前記電線を区画して前記コネクタの外部に引き出す電線ガイドを兼ねることを特徴とする請求項１に記載のコネクタハウジングとカバーとの誤組防止構造。
【請求項３】
前記受入部は、前記カバーと前記コネクタハウジングとの嵌合側に開口し、前記カバーと前記コネクタハウジングとの嵌合方向に延びる案内溝とされ、前記カバーを前記コネクタハウジングに組付けるときに、前記係止部と前記案内溝とが係合することで、前記カバーの嵌合方向を案内することを特徴とする請求項１または２に記載のコネクタハウジングとカバーとの誤組防止構造。
【請求項４】
前記突部は、前記コネクタハウジングと前記カバーとの対向面において相手側に向けて設けられるハウジング側突部とカバー側突部とから構成され、前記コネクタハウジングと前記カバーとの極数が同一であるときには、前記両突部が干渉することなく組み付けられる一方、前記コネクタハウジングの極数が前記カバーの極数よりも小さい誤組のときには、前記両突部が干渉することで前記コネクタハウジングと前記カバーとの不正な嵌合を防止することを特徴とする請求項１ないし請求項３のいずれかに記載のコネクタハウジングとカバーとの誤組防止構造。
【請求項５】
前記コネクタハウジングと前記カバーとの対向面によって形成される空間が、前記ハウジング側突部と前記カバー側突部とで前記コネクタの極数に応じた数に区画され、それぞれの区画が電線引き出しのためのガイド空間となることを特徴とする請求項４記載のコネクタハウジングとカバーとの誤組防止構造。
【発明の詳細な説明】
【０００１】
【発明の属する技術分野】
本発明は、コネクタハウジングとカバーとの誤組防止構造に関する。
【０００２】
【従来の技術】
従来より、電線の被覆を切り欠くことで内部の芯線と接続する圧接部を備えた端子金具が知られている。このような圧接端子金具を収容可能なコネクタハウジングには、圧接部を覆蓋するためのカバーが備えられている。また、コネクタハウジングとカバーには、この両部材の係合を保持しておくための係合部が、それぞれに設けられている。
コネクタを組付けるには、コネクタハウジングのキャビティに端子金具を収容した後、カバーで圧接部を覆蓋する。すると、係合部が係合することで、コネクタハウジングとカバーとが抜止状態となる。
【０００３】
【発明が解決しようとする課題】
ところで、このようなカバーとコネクタハウジングとは、互いに端子金具の極数に合わせて、嵌まり合うように形成されている。一方、設計の都合上、カバーとコネクタハウジングとを係合しておく係合部は、端子金具の極数に拘わらず同形状のものが使用される。
このため、コネクタハウジングの極数が、カバーの極数よりも小さい場合であっても、両部材の係合部が係合可能であるために、組み付いてしまう場合があった。このような事態が発生すると、圧接部がカバーによって覆われていない端子金具や、係合部の係合力が十分でない組合せもあり得る。
【０００４】
本発明は、上記事情に鑑みてなされたもので、その目的は、コネクタハウジングとカバーとの誤組を防止するための構造を提供するところにある。
【０００５】
【課題を解決するための手段】
上記の課題を解決するための請求項１の発明に係るコネクタハウジングとカバーとの誤組防止構造は、キャビティ間ピッチを同一ピッチに揃えつつそれぞれ極数のみが異なり、端子金具を収容可能で横方向に並んで配される複数のキャビティを内部に備えたコネクタハウジングと、前記コネクタハウジングの極数に応じて組み付け可能で、かつ前記コネクタハウジングに収容される前記端子金具に接続された電線を屈曲状態に保持するカバーとが設けられ、前記カバーの横方向両側部には、一対の撓み係合片が配される一方、前記両コネクタハウジングの幅方向両側面には、一対の係合突起が配され、前記コネクタハウジングと前記カバーとの極数が同一であるときには、対をなす前記撓み係合片と前記係合突起との係合が共に行われて、前記コネクタハウジングと前記カバーとを抜止め保持可能とし、前記コネクタハウジングの極数が前記カバーの極数よりも小さい誤組であって、前記コネクタハウジングが前記カバーの横方向両側のうちいずれか一方に寄せられて、前記撓み係合片と前記係合突起との係合が片側のみで行われる誤組を防止する誤組防止構造であって、前記コネクタハウジングの横方向両側部には、前記各キャビティの並び方向に沿って外方へ張り出す係止部が設けられ、前記カバーの横方向両側面には、前記両係止部を受入可能で、かつ前記カバーを前記コネクタハウジングに組み付けるときの案内を行う受入部が凹設され、前記カバーの内面には、前記各キャビティ間の区画壁の位置に合わせて配置された突部が、少なくとも前記受入部の高さまで延び、かつ前記組み付け方向に沿って形成され、前記コネクタハウジングと前記カバーとの極数が同一であるときには、前記係止部と前記突部とが干渉することなく組み付けられる一方、前記コネクタハウジングの極数が前記カバーの極数よりも小さい誤組であるときには、前記係止部と前記突部とが干渉して前記コネクタハウジングと前記カバーとの不正な嵌合を防止することを特徴とする。
【０００６】
請求項２の発明は、請求項１に記載のものであって、前記突部は、前記電線を区画して前記コネクタの外部に引き出す電線ガイドを兼ねることを特徴とする。
【０００７】
請求項３の発明は、請求項１または２に記載のものであって、前記受入部は、前記カバーと前記コネクタハウジングとの嵌合側に開口し、前記カバーと前記コネクタハウジングとの嵌合方向に延びる案内溝とされ、前記カバーを前記コネクタハウジングに組付けるときに、前記係止部と前記案内溝とが係合することで、前記カバーの嵌合方向を案内することを特徴とする。
【０００８】
請求項４の発明は、請求項１ないし請求項３のいずれかに記載のものであって、前記突部は、前記コネクタハウジングと前記カバーとの対向面において相手側に向けて設けられるハウジング側突部とカバー側突部とから構成され、前記コネクタハウジングと前記カバーとの極数が同一であるときには、前記両突部が干渉することなく組み付けられる一方、前記コネクタハウジングの極数が前記カバーの極数よりも小さい誤組のときには、前記両突部が干渉することで前記コネクタハウジングと前記カバーとの不正な嵌合を防止することを特徴とする。
【０００９】
請求項５の発明は、請求項４に記載のものであって、前記コネクタハウジングと前記カバーとの対向面によって形成される空間が、前記ハウジング側突部と前記カバー側突部とで前記コネクタの極数に応じた数に区画され、それぞれの区画が電線引き出しのためのガイド空間となることを特徴とする。
【００１０】
【発明の作用および効果】
請求項１の発明によれば、コネクタハウジングとカバーとの極数が同一であるときには、係止部と突部とが干渉することなく組付ができる。一方、コネクタハウジングの極数がカバーの極数よりも小さいときには、係止部と突部とが干渉するために、コネクタハウジングとカバーとを嵌合することが規制される。このため、誤組が防止される。
【００１１】
請求項２の発明によれば、突部は電線ガイドを兼ねるようになっている。このため、誤組防止用と電線区画用との二つの部材を設ける必要がない。
【００１２】
請求項３の発明によれば、カバーとコネクタハウジングとを嵌合する際に、係止部が案内溝に係合して、カバーの嵌合方向を案内する。このため、嵌合操作が円滑に行われる。
【００１３】
請求項４の発明によれば、コネクタハウジングとカバーとの極数が同一であるときには、ハウジング側突部とカバー側突部とが干渉することなく組み付けが行われる。一方、コネクタハウジングの極数がカバーの極数よりも小さいときには、両突部が干渉するため、嵌合が規制される。こうして、誤組防止が図られる。
【００１４】
請求項５の発明によれば、ハウジング側突部とカバー側突部とによって、電線引き出しのためのガイド空間が形成される。こうして、コネクタハウジングとカバーとの誤組防止と、電線ガイドとの二つの機能が一つの部材で行われる。
【００１５】
【発明の実施の形態】
次に、本発明の実施形態について、図１〜図１５を参照しつつ、詳細に説明する。
【００１６】
＜二極のカバー付きコネクタの構成＞
まず、図１〜図４を参照しつつ、二極のカバー付きコネクタ１１について説明する。このカバー付きコネクタ１１には、二極のコネクタハウジング１と、二極のカバー２とが備えられており、コネクタハウジング１には、雌側端子金具１２が装着される。
【００１７】
雌側端子金具１２は導電性板材を折り曲げて形成されており、その前方には、相手側端子金具（図示せず）のタブを挿入可能な連結部１２Ａが備えられている。また、雌側端子金具１２の後端部には、上下面に一対の圧接部１３が形成されている。この圧接部１３は後方に向かって開放しており、ここに電線Ｗを押し込むことにより、電線Ｗの被覆部分に切れ込んで、電線Ｗ内部の芯線と圧接部１３とが電気的に接続する。
【００１８】
コネクタハウジング１は合成樹脂により一体に形成されており、その内部には二つの雌側端子金具１２を収容可能なキャビティ４が設けられている。キャビティ４同士は、その中間に設けられた区画壁３によって互いに区画されている。また、キャビティ４は、コネクタハウジング１の前後（図示しない相手側コネクタとの嵌合方向を前側とする。）に開口して形成されており、その前側は相手側端子金具（図示せず）のタブが挿入される端子連結口４Ａとされる。また、キャビティ４の後側は、雌側端子金具１２を押し入れる端子挿入口４Ｂとして、大きく開口されている。この端子挿入口４Ｂの口縁の上下には、電線Ｗの外径に合わせた電線溝５がＵ字状に切り欠き形成されている。また、コネクタハウジング１の後部において、左右両側面には一対の係合突起６が突設されている。係合突起６の後面側には、案内面６Ａが設けられている。この係合突起６は、後述するカバー２の撓み係合片７と係合して、コネクタハウジング１とカバー２とを抜止め保持する。
【００１９】
また、コネクタハウジング１の左右両側部には、外側に張り出す係止部８が突設されている。係止部８のうち、コネクタハウジング１の上部に設けられる上部係止部８Ａは、コネクタハウジング１の前端から形成されており、電線溝５の切り込みの最も奥側の位置まで設けられている。また、下部係止部８Ｂは、コネクタハウジング１の中央やや後方の位置から、上部係止部８Ａの後端位置に合わせたところまで設けられている。下部係止部８Ｂの前端位置から、コネクタハウジング１の前端位置までは、下部係止部８Ｂよりも肉厚とされた補強部９としてコネクタハウジング１から突設されている。この補強部９と下部係止部８Ｂとの境目は、階段状とされた階段部１０とされている。コネクタハウジング１とカバー２とが正規位置に組み付けられたときには、カバー２の撓み係合片７の先端が、この階段部１０に位置するようになっている。さらに、コネクタハウジング１の上面中央には、図示しない相手側コネクタとのロックを行うためのロック片２１が、コネクタハウジング１の前端面から片持ち状に形成されている。
【００２０】
また、コネクタハウジング１の下面側中央には、前後方向にハウジング側突部１６が突設されている。このハウジング側突部１６は、コネクタハウジング１の側部に設けられた階段部１０からコネクタハウジング１の後端にかけて突設されている。コネクタハウジング１にカバー２が組み付けられたときには、このハウジング側突部１６とカバー２の下壁とによってガイド空間２０が形成される。雌側端子金具１２に連結された電線Ｗは、このガイド空間２０によってガイドされ、個々に区画されつつコネクタハウジング１の下面側に延出される。
【００２１】
次に、カバー２について説明する。カバー２は合成樹脂により一体に形成されており、コネクタハウジング１の後部を覆って電線Ｗを屈曲しつつ組み付けられる。カバー２の前面側には、コネクタハウジング１の外径よりも僅かに大きな組み付け開口１７が形成されている。また、カバー２の両側部には、左右一対の撓み係合片７が拡開変形可能に形成されている。撓み係合片７は、カバー２の左右壁部１４において、壁部１４の前端から後方にかけて凹設された上下一対の案内溝１５（本発明における受入部にも相当する。）によって形成されている。これにより、撓み係合片７の後端部分を基部として、左右に撓み変形可能とされている。また、案内溝１５の幅は、コネクタハウジング１の係止部８の幅よりも僅かに大きくされている。また、撓み係合片７の中央には、後端から前方に係合溝７Ａが凹設されている。この係合溝７Ａには、コネクタハウジング１の係合突起６が係合可能とさえており、この係合によってコネクタハウジング１とカバー２とが抜止めされる。
【００２２】
また、カバー２の上壁において、組み付け開口１７の内面側には、一条のカバー側突部１８が突設されている。カバー側突部１８は、案内溝１５の下端縁（撓み係合片７の上端縁）とほぼ同じ位置まで突設されている。カバー側突部１８は、組み付け開口１７の開口縁からカバー２の奥面に達するまで前後に延設されている。コネクタハウジング１とカバー２とが組み付けられたときには、雌側端子金具１２に連結された電線Ｗは、このカバー側突部１８によって各電線Ｗ毎に区画されつつ、コネクタハウジング１の上面側に延出される。また、このカバー側突部１８の左右には、一対の電線溝１９が凹設されている。
【００２３】
＜五極のカバー付きコネクタの構成＞
次に、図５及び図６を参照しつつ、五極のカバー付きコネクタ３０について説明する。なお、このカバー付きコネクタ３０と二極のカバー付きコネクタ１１とにおいて、同一の構成には同一の符号を付して、説明の一部を省略する。
【００２４】
五極のコネクタハウジング３１には、横一列に五個のキャビティ４が設けられている。また、コネクタハウジング３１の下面側には、コネクタハウジング３１の中央後部から後端までにかけて、二条のハウジング側突部３３が突設されている。このハウジング側突部３３は、コネクタハウジング３１の左右両端に位置するキャビティ４と、その内側に位置するキャビティ４との間の区画壁３の位置に合わせて設けられている。
【００２５】
次に、五極のカバー３２について説明する。五極のカバー３２の前面側には、コネクタハウジング３１の外径よりも僅かに大きく開口された組み付け開口３４が設けられている。また、この組み付け開口３４の上壁面からは、コネクタハウジング３１の四枚の区画壁３の位置に合わせて、カバー側突部３５が突設されている。カバー側突部３５は、案内溝１５の下端縁（撓み係合片７の上端縁）付近まで突設されている。また、組み付け開口３４の下壁面には、コネクタハウジング３１の中央の二枚の区画壁３の位置に合わせて、二条のカバー側突部３６が突設されている。すなわち、カバー側突部３６とハウジング側突部３３とは、コネクタハウジング３１とカバー３２との組み付けに際して、干渉しない位置に設けられており、両突部３３，３６によって、五つのキャビティ４に収容された雌側端子金具１２に連結された電線Ｗの導出をガイドできるようになっている。
【００２６】
なお、五極のコネクタハウジング３１と五極のカバー３２とを抜止め保持するための係合突起６と撓み係合片７との構成は、二極のカバー付きコネクタ１１に設けられたものと同様である。
【００２７】
＜二極及び五極のコネクタの組み付け＞
次に、二極のカバー付きコネクタ１１の組み付けについて説明する。
まず、コネクタハウジング１のキャビティ４に雌側端子金具１２を挿入しておき、雌側端子金具１２の圧接部１３に電線Ｗを押し入れる。圧接部１３が電線Ｗの被覆部分を切り欠くことで、芯線部分と雌側端子金具１２とが接続する。
【００２８】
ここで、カバー２をコネクタハウジング１の後部から組付ける。カバー２の組み付け開口１７の内部に、コネクタハウジング１を押し入れると、撓み係合片７の先端に係合突起６が当接して、撓み係合片７を拡開方向に撓み変形させる。このとき、カバー２側には、コネクタハウジング１の係止部８に対応するところに、案内溝１５が設けられており、この案内溝１５の案内に従って円滑に押し込み操作を進行できる。
【００２９】
こうして、二極のカバー付きコネクタ１１の組み付けが完了すると、コネクタハウジング１とカバー２との対向面には、コネクタハウジング１の上面側では、カバー側突部１８によって電線Ｗを区画しつつカバー付きコネクタ１１から導出するためのガイド空間２０が形成される。また、コネクタハウジング１の下面側では、ハウジング側突部１６によって、ガイド空間２０が形成される。
【００３０】
次に、五極のカバー付きコネクタ３０の組み付けについて説明する。
まず、コネクタハウジング３１のキャビティ４に雌側端子金具１２を挿入しておき、雌側端子金具１２の圧接部１３に電線Ｗを押し入れて、芯線部分と雌側端子金具１２とを接続する。
【００３１】
次に、カバー３２をコネクタハウジング３１の後部から組付ける。カバー３２の組み付け開口３４の内部に、コネクタハウジング３１を押し入れると、撓み係合片７の先端に係合突起６が当接して、撓み係合片７を拡開方向に撓み変形させる。このとき、カバー３２側には、コネクタハウジング３１の係止部８に対応するところに、案内溝１５が設けられており、この案内溝１５の案内に従って円滑に押し込み操作を進行できる。
【００３２】
こうして、五極のカバー付きコネクタ３０の組み付けが完了すると、コネクタハウジング３１とカバー３２との対向面には、コネクタハウジング３１の上面側では、カバー側突部３５によって電線Ｗを導出するためのガイド空間２０が形成される。また、コネクタハウジング３１の下面側では、カバー側突部３６とハウジング側突部３３とによって、五つのガイド空間２０が形成される。
【００３３】
このように、コネクタハウジング１，３１とカバー２，３２との極数が同一であるときには、係止部８とカバー側突部１８，３５，３６とが干渉することなく組付ができる。また、コネクタハウジング１，３１とカバー２，３２との極数が同一であるときには、ハウジング側突部１６，３３とカバー側突部１８，３５，３６とが干渉することなく、組み付けが行われる。
【００３４】
また、各突部１６，１８，３３，３５，３６は、電線Ｗの電線ガイドを兼ねるようになっている。このため、誤組防止用と電線区画用との二つの部材を設ける必要がない。
【００３５】
さらに、ハウジング側突部１６，３３とカバー側突部１８，３５，３６とによって、電線Ｗ引き出しのためのガイド空間２０が形成される。こうして、コネクタハウジング１，３１とカバー２，３２との誤組防止と、電線ガイドとの二つの機能が一つの部材で行われる。
【００３６】
＜五極のカバーと二極のコネクタハウジングとの誤組防止について＞
次に、図７及び図８に示すように、五極のカバー３２と二極のコネクタハウジング１とを組み付けようとしたときの誤組防止機能について説明する。
【００３７】
コネクタハウジング１をカバー３２の中央に位置させたときには、両部材を係止しておくための係合突起６と撓み係合片７とが作用しない。このため、組み付け操作者が誤組しようとする態様としては、カバー３２の左または右の撓み係合片７にコネクタハウジング１の左または右側面を合わせることになる（図８を参照）。
【００３８】
図８において、コネクタハウジング１をカバー３２の左側の撓み係合片７（図８においては、図示されていない側のもの）の内側に沿って挿入しようと試みる。カバー３２の組み付け開口３４にコネクタハウジング１を挿入すると、コネクタハウジング１の図示右側の係止部８がカバー３２のカバー側突部３５，３６に当接してしまう。このため、コネクタハウジング１をカバー３２に無理に挿入しようとしても、係止部８と突部３５，３６との干渉により、嵌合操作が規制される。こうして、コネクタハウジング１とカバー３２との誤組が防止される。
【００３９】
＜三極及び四極のカバーとコネクタハウジングとの構成＞
次に、図１２及び図１３を参照しつつ、三極のカバー４２とコネクタハウジング４１とからなる三極のカバー付きコネクタ４０及び、四極のカバー５２とコネクタハウジング５１とからなる四極のカバー付きコネクタ５０の構成について説明する。
【００４０】
図１２（Ｂ）に示すように、三極のカバー付きコネクタ４０のコネクタハウジング４１には、三個のキャビティ４が設けられている。また、コネクタハウジング４１の下面側には、図示右側にハウジング側突部４３が突設されている。このハウジング側突部４３は、三個のキャビティ４を隔てる二枚の区画壁３のうち、右側のものが設けられた位置に合わせて設けられている。
【００４１】
カバー４２の組み付け開口４４は、コネクタハウジング４１よりも一回り大きくされており、その組み付け開口４４の上壁面からは二本のカバー側突部４５が均等幅を隔てつつ突設されている。また、カバー４２の下壁面からは、左側のカバー側突部４５の位置に合わせたところに、カバー側突部４６が突設している。
【００４２】
このようにして構成された三極のコネクタハウジング４１とカバー４２とが組み付けられると、コネクタハウジング４１の上面側では、カバー側突部４５によって電線Ｗをガイドするためのガイド空間２０が形成される。また、コネクタハウジング４１の下面側では、ハウジング側突部４３とカバー側突部４５とが干渉することなく組み付けられる。こうして、コネクタハウジング４１とカバー４２との突部４３，４５によって、電線Ｗをガイドするためのガイド空間２０が形成される。
【００４３】
次に、図１３（Ｃ）を参照しつつ、四極のカバー付きコネクタ５０について説明する。四極のカバー付きコネクタ５０のコネクタハウジング５１には、四個のキャビティ４が設けられている。また、コネクタハウジング５１の下面側には、図示中央にハウジング側突部５３が突設されている。
【００４４】
カバー５２の組み付け開口５４は、コネクタハウジング５１よりも一回り大きくされており、その組み付け開口５４の上壁面からは三本のカバー側突部５５が均等幅を隔てつつ突設されている。また、カバー５２の下壁面からは、左右のカバー側突部５５の位置に合わせたところに、二つのカバー側突部５６が突設している。
【００４５】
このようにして構成された四極のコネクタハウジング５１とカバー５２とが組み付けられると、コネクタハウジング５１の上面側では、カバー側突部５５によって、電線Ｗをガイドするためのガイド空間２０が形成される。また、コネクタハウジング５１の下面側では、ハウジング側突部５３とカバー側突部５５とが干渉することなく組み付けられる。こうして、コネクタハウジング５１とカバー５２の突部５３，５５によって、電線Ｗをガイドするためのガイド空間２０が形成される。
【００４６】
＜誤組防止のための干渉態様＞
ここで、図９及び図１０を参照しつつ、コネクタハウジング１，３１，４１，５１と極数の異なるカバー３２，４２，５２とが組み付けられたときに起こりうる二種類の干渉態様について説明する。
【００４７】
五極のカバー３２と二極のコネクタハウジング１との誤組防止の際に説明したように、コネクタハウジング１の上下左右から突設された係止部８と、カバー３２の上下に突設されたカバー側突部３５，３６とが干渉する態様を「干渉態様Ｂ」とする。この干渉態様Ｂは、コネクタハウジング１，３１，４１，５１と極数の異なるカバー３２，４２，５２とが組合せられたときには、コネクタハウジング１，３１，４１，５１の上側で必ず発生する。また、コネクタハウジング１，３１，４１，５１とカバー３２，４２，５２との組合せによっては、コネクタハウジング１，３１，４１，５１の下側でも発生しうる。
【００４８】
次に、もう一つの干渉態様について説明する。コネクタハウジング１，３１，４１，５１と極数の異なるカバー３２，４２，５２との組合せによっては、ハウジング側突部１６，３３，４３と、カバー３２，４２，５２の下側のカバー側突部３６，４６，５６とが干渉することがある。この干渉態様を「干渉態様Ａ」とする。
【００４９】
＜各種コネクタハウジングと各種カバーとの組合せ＞
次に、図１１〜図１５を参照しつつ、コネクタハウジング１，３１，４１，５１と、カバー２，３２，４２，５２との組み付けについて説明する。図１１〜図１５において、実線で示されるものがカバー２，３２，４２，５２であり、二点鎖線で示されるものがコネクタハウジング１，３１，４１，５１である。
【００５０】
図１１、図１２（Ｂ）、図１３（Ｃ）及び図１５（Ｂ）に示したものは、それぞれ同一の極数を備えたコネクタハウジング１，３１，４１，５１とカバー２，３２，４２，５２とが組み付けられた様子を示すものである。このときには、上記した干渉態様Ａ，Ｂのいずれも発生することなく、カバー付きコネクタ１１，３０，４０，５０が形成される。
【００５１】
この組み付け作業の際には、係止部８と案内溝１５とによって、押し込み操作が円滑に進行できる。また、カバー付きコネクタ１１，３０，４０，５０の組み付けが完了すると、コネクタハウジング１，３１，４１，５１とカバー２，３２，４２，５２との対向面には、上下に電線Ｗをガイドするためのガイド空間２０が形成される。
【００５２】
一方、それ以外の図は、極数の異なるコネクタハウジング１，３１，４１とカバー３２，４２，５２とが組み付けられたときの様子を示すものである。このときには、必ず干渉態様Ａ又は干渉態様Ｂが発生して、コネクタハウジング１，３１，４１とカバー３２，４２，５２との誤組み付けが防止されるようになっている。
【００５３】
本発明は前記実施形態に限定されるものではなく、例えば次に記載するようなものも本発明の技術的範囲に含まれる。
（１）本実施形態では、コネクタハウジングの上面側にはハウジング側突部を設けなかったが、本発明によれば、コネクタハウジングの上面側にハウジング側突部を設けて、電線ガイドと兼用させてもよい。また、このときには、カバー上部のカバー側突部をハウジング側突部がないところに設ければよい。
（２）コネクタハウジングの下面側のハウジング側突部をなくして、カバー側突部としてもよい。
（３）本実施形態では、コネクタハウジングの極数は二極から五経までのもののみを示したが、本発明によれば、極数はこれに限られず、六極以上のものでもよい。
（４）本実施形態では、雌側のコネクタのみを示したが、本発明によれば、雄側のコネクタでもよい。
【図面の簡単な説明】
【図１】本実施形態において、二極のカバーと二極のコネクタハウジングとを組付ける前の斜視図
【図２】二極のコネクタハウジングの下面側を示す斜視図
【図３】二極のカバー付きコネクタの斜視図
【図４】二極のカバー付きコネクタの側断面図
【図５】五極のカバーと五極のコネクタハウジングとを組付ける前の斜視図
【図６】五極のカバーと五極のコネクタハウジングとを組付ける前の斜視図
【図７】五極のカバーと二極のコネクタハウジングとを組付ける前の斜視図
【図８】五極のカバーと二極のコネクタハウジングとを組付けようとしたときの斜視図
【図９】誤組した状態において、係止部とカバー側突部とが干渉している様子（干渉態様Ｂ）を示す側断面図
【図１０】誤組した状態において、ハウジング側突部とカバー側突部とが干渉している様子（干渉態様Ａ）を示す側断面図
【図１１】二極のカバーと二極のコネクタハウジングとを組み付けたときの正面図
【図１２】三極のカバーとコネクタハウジングとの組み付けを示す正面図
（Ａ）三極のカバーと二極のコネクタハウジング
（Ｂ）三極のカバーと三極のコネクタハウジング
【図１３】四極のカバーとコネクタハウジングとの組み付けを示す正面図
（Ａ）四極のカバーと二極のコネクタハウジング
（Ｂ）四極のカバーと三極のコネクタハウジング
（Ｃ）四極のカバーと四極のコネクタハウジング
【図１４】五極のカバーとコネクタハウジングとの組み付けを示す正面図
（Ａ）五極のカバーと二極のコネクタハウジング
（Ｂ）五極のカバーと三極のコネクタハウジング
【図１５】五極のカバーとコネクタハウジングとの組み付けを示す正面図
（Ａ）五極のカバーと四極のコネクタハウジング
（Ｂ）五極のカバーの五極のコネクタハウジング
【符号の説明】
１，３１，４１，５１…コネクタハウジング
２，３２，４２，５２…カバー
４…キャビティ
８…係止部
１２…雌側端子金具（端子金具）
１５…案内溝（受入部）
１６，３３，４３，５３…ハウジング側突部
１８，３５，３６，４５，４６，５５，５６…カバー側突部（突部）
２０…ガイド空間
Ｗ…電線
【図１】
0003800278.tif 000002
【図２】
0003800278.tif 000003
【図３】
0003800278.tif 000004
【図４】
0003800278.tif 000005
【図５】
0003800278.tif 000006
【図６】
0003800278.tif 000007
【図７】
0003800278.tif 000008
【図８】
0003800278.tif 000009
【図９】
0003800278.tif 000010
【図１０】
0003800278.tif 000011
【図１１】
0003800278.tif 000012
【図１２】
0003800278.tif 000013
【図１３】
0003800278.tif 000014
【図１４】
0003800278.tif 000015
【図１５】
0003800278.tif 000016